(57)【要約】【課題】スペーサ又は配向膜が削られることによる表示不良を抑えることを目的とする。【解決手段】液晶表示装置は、複数の画素電極１６に積層する第１配向膜４６と、第２基板４８と、液晶層２０と、第１配向膜４６と第２基板４８との間に介在する複数のスペーサ５６と、を有する。複数の画素電極１６の少なくとも１つは、第１方向Ｘに延びる基端部５８と、第１方向Ｘに交差する第２方向Ｙに基端部５８から延びる櫛歯部６２と、を含む。基端部５８は、回路層２４とのコンタクト部４４を有する第１領域６０と、コンタクト部４４から第１方向Ｘにずれた位置にあって第１方向Ｘに直交する幅Ｗ２が第１領域６０の幅Ｗ１よりも広い第２領域６８と、含む。複数のスペーサ５６の少なくとも１つは、第２領域６８に重なって基端部５８からはみ出さないように配置されている。【選択図】図６
2019015844.tif 000002
【特許請求の範囲】
【請求項１】
スイッチング素子と、前記スイッチング素子と電気的に接続し第１方向に延在する基端部と、前記基端部から前記第１方向と交差する第２方向に延在する櫛歯部と、を含む画素電極と、を有する第１基板と、
前記第１基板と対向する第２基板と、
前記第１基板と前記第２基板との間に位置するスペーサと、
を有する液晶表示装置であって、
前記基端部は、前記スイッチング素子と接続するコンタクト部を有する第１領域と、前記第１領域と隣接する第２領域と、含み、
前記スペーサは、前記第２領域と重なるように配置され、
前記第２領域の前記第２方向の幅は、前記第１領域の前記第２方向の幅よりも広いことを特徴とする液晶表示装置。
【請求項２】
請求項１に記載された液晶表示装置において、
前記第２領域は、前記櫛歯部が延びる側及び前記櫛歯部とは反対側の両方に、前記第１領域から突出した部分を有することを特徴とする液晶表示装置。
【請求項３】
請求項１又は２に記載された液晶表示装置において、
さらに、前記第１基板は、前記第１方向に延在する走査線と、前記第２方向に延在する信号線と、を含み、
前記第２領域は、前記信号線と重なることを特徴とする液晶表示装置。
【請求項４】
請求項３に記載された液晶表示装置において、
前記走査線は、分断部を有しており、
前記分断部は、接続配線によって接続されていることを特徴とする液晶表示装置。
【請求項５】
スイッチング素子と、前記スイッチング素子と電気的に接続し第１方向に延在する基端部と、前記基端部から前記第１方向と交差する第２方向に延在する櫛歯部と、を含む画素電極と、を有する第１基板と、
前記第１基板と対向する第２基板と、
前記第１基板と前記第２基板との間に位置するスペーサと、
を有する液晶表示装置であって、
前記基端部は、前記スイッチング素子と接続するコンタクト部を有する第１領域と、前記第１領域と隣接する第２領域と、含み、
前記第２領域は切り欠きによって、前記第１領域の前記第２方向の幅よりも狭い幅を有しており、
前記スペーサは、前記第２領域の切り欠きと重なるように配置されていることを特徴とする液晶表示装置。
【請求項６】
請求項５に記載された液晶表示装置において、
前記基端部は、前記櫛歯部を連結するように形成されており、
前記第２領域の切り欠きは、前記櫛歯部とは反対側に形成されていることを特徴とする液晶表示装置。
【請求項７】
請求項５又は６に記載された液晶表示装置において、
さらに、前記第１基板は、前記第１方向に延在する走査線と、前記第２方向に延在する信号線と、を含み、
前記走査線は、分断部を有しており、
前記分断部は、接続配線によって接続されていることを特徴とする液晶表示装置。
【請求項８】
請求項１乃至７のいずれか１項に記載の液晶表示装置を備える、電子機器。
【発明の詳細な説明】
【技術分野】
【０００１】
本発明は、液晶表示装置及び電子機器に関する。
【背景技術】
【０００２】
スペーサによってセルギャップを保持する液晶表示装置のうち、特に車載用途で用いられる液晶表示装置では、振動試験や信頼性試験において、常時明るい微小な輝点や輝度ムラが検出されることがある。これらは、スペーサ又は配向膜が削られることで、異物が液晶に浮遊したり、ギャップ異常が生じたりすることが原因である（特許文献１）。
【先行技術文献】
【特許文献】
【０００３】
【特許文献１】特許第６０１４３２４号公報
【発明の概要】
【発明が解決しようとする課題】
【０００４】
配向膜は、その下に画素電極があるため、表面が凹凸になっている。その凹部と凸部にまたがってスペーサが配置されると、スペーサ又は配向膜が削られやすくなる。特に、横電界駆動（In-Plane Switching）方式で駆動する液晶表示装置では、画素電極にスリットが形成されるので凹凸が多くなり、平坦な位置にスペーサを配置することが難しかった。
【０００５】
本発明は、スペーサ又は配向膜が削られることによる表示不良を抑えることを目的とする。
【課題を解決するための手段】
【０００６】
本発明に係る液晶表示装置は、スイッチング素子と、前記スイッチング素子と電気的に接続し第１方向に延在する基端部と、前記基端部から前記第１方向と交差する第２方向に延在する櫛歯部と、を含む画素電極と、を有する第１基板と、前記第１基板と対向する第２基板と、前記第１基板と前記第２基板との間に位置するスペーサと、を有する液晶表示装置であって、前記基端部は、前記スイッチング素子と接続するコンタクト部を有する第１領域と、前記第１領域と隣接する第２領域と、含み、前記スペーサは、前記第２領域と重なるように配置され、前記第２領域の前記第２方向の幅は、前記第１領域の前記第２方向の幅よりも広いことを特徴とする。
【０００７】
本発明によれば、幅の広い第２領域を画素電極が有し、第２領域にスペーサが重なるので、スペーサと配向膜が接触しても凸凹が少なく、それらが削られることによる表示不良を抑えることができる。
【０００８】
本発明に係る液晶表示装置は、スイッチング素子と、前記スイッチング素子と電気的に接続し第１方向に延在する基端部と、前記基端部から前記第１方向と交差する第２方向に延在する櫛歯部と、を含む画素電極と、を有する第１基板と、前記第１基板と対向する第２基板と、前記第１基板と前記第２基板との間に位置するスペーサと、を有する液晶表示装置であって、前記基端部は、前記スイッチング素子と接続するコンタクト部を有する第１領域と、前記第１領域と隣接する第２領域と、含み、前記第２領域は切り欠きによって、前記第１領域の前記第２方向の幅よりも狭い幅を有しており、前記スペーサは、前記第２領域の切り欠きと重なるように配置されていることを特徴とする。
【０００９】
本発明によれば、幅の狭い第２領域を画素電極が有し、第２領域の隣りにスペーサが配置されるので、スペーサと配向膜が接触しても凸凹が少なく、それらが削られることによる表示不良を抑えることができる。
【図面の簡単な説明】
【００１０】
【図１】本発明の第１の実施形態に係る液晶表示装置の回路図である。
【図２】図１に示す回路の副画素を拡大した図である。
【図３】１つの画素の詳細図である。
【図４】図３に示す構造のIV−IV線断面図である。
【図５】図３に示す構造のＶ−Ｖ線断面図である。
【図６】図３に示す構造の画素電極の基端部付近の詳細図である。
【図７】第１の実施形態の変形例を示す図である。
【図８】図７に示す構造の一部の画素電極の基端部付近の詳細図である。
【図９】本発明の第２の実施形態に係る、１つの画素の詳細図である。
【図１０】図９に示す構造の一部の画素電極の基端部付近の詳細図である。
【図１１】図９に示す構造のXI−XI線断面図である。
【図１２】本発明に係る液晶表示装置を適用する電子機器の一例を示す図である。
【発明を実施するための形態】
【００１１】
以下、本発明の実施形態について図面を参照して説明する。但し、本発明は、その要旨を逸脱しない範囲において様々な態様で実施することができ、以下に例示する実施形態の記載内容に限定して解釈されるものではない。
【００１２】
図面は、説明をより明確にするため、実際の態様に比べ、各部の幅、厚さ、形状等について模式的に表される場合があるが、あくまで一例であって、本発明の解釈を限定するものではない。本明細書と各図において、既出の図に関して説明したものと同様の機能を備えた要素には、同一の符号を付して、重複する説明を省略することがある。
【００１３】
さらに、本発明の詳細な説明において、ある構成物と他の構成物の位置関係を規定する際、「上に」「下に」とは、ある構成物の直上あるいは直下に位置する場合のみでなく、特に断りの無い限りは、間にさらに他の構成物を介在する場合を含むものとする。
【００１４】
図１は、液晶表示装置の平面図であり、液晶表示装置の回路構成を示す図である。液晶表示装置１は、画像を表示する表示領域ＤＡと、表示領域ＤＡの外側の周辺領域ＰＡと、を備えている。例えば、周辺領域ＰＡは、表示領域ＤＡを囲み、額縁状の形状を有している。液晶表示装置１は、表示領域ＤＡにおいて、複数の副画素ＳＰを備えている。複数の副画素ＳＰは、第１方向Ｘ及び第２方向Ｙにマトリクス状に配置されている。本実施形態においては、第１方向Ｘに隣り合う３個の副画素ＳＰで１つの画素を構成する。なお、図示した例では、液晶表示装置１及び表示領域ＤＡは矩形形状であるが、４つの角部が丸みを帯びているラウンド形状でもよいし、その他の多角形形状でもよい。
【００１５】
液晶表示装置１は、複数の走査線１０、複数の信号線１２を備えている。走査線１０は、各々第１方向Ｘに延出し、第２方向Ｙに間隔を置いて配置されている。信号線１２は、各々第２方向Ｙに延出し、第１方向Ｘに間隔を置いて配置されている。なお、走査線１０及び信号線１２は、必ずしも直線的に延出していなくてもよく、それらの一部が屈曲していてもよい。走査線１０は、走査線駆動回路ＧＤに接続されている。信号線１２は、信号線駆動回路ＳＤに接続されている。
【００１６】
図２は、図１に示す副画素ＳＰの回路構成を示す図である。副画素ＳＰは、走査線１０及び信号線１２が交差する位置近傍に配置されたスイッチング素子１４（例えば薄膜トランジスタ）を備えている。スイッチング素子１４は、走査線１０及び信号線１２と電気的に接続されている。走査線１０は、図１に示す第１方向Ｘに並んだ副画素ＳＰの各々におけるスイッチング素子１４と接続されている。信号線１２は、図１に示す第２方向Ｙに並んだ副画素ＳＰの各々におけるスイッチング素子１４と接続されている。
【００１７】
スイッチング素子１４は、さらに画素電極１６と電気的に接続されている。画素電極１６は、共通電極１８と対向し、画素電極１６と共通電極１８との間に生じる電界によって液晶層２０を駆動する。共通電極１８は、図１に示す共通電極駆動回路ＣＤに接続されて、複数の副画素ＳＰにわたって配置されている。保持容量ＣＳは、例えば、共通電極１８と画素電極１６との間に形成される。
【００１８】
図３は、１つの画素の詳細図である。図４は、図３に示す構造のIV−IV線断面図である。図５は、図３に示す構造のＶ-Ｖ線断面図である。図６は、図３に示す構造の画素電極の基端部付近の詳細図である。
【００１９】
図３に示すように、走査線１０は第１方向Ｘに延出し、第２方向Ｙに間隔を置いて配置され、信号線１２は第２方向Ｙに延出し、第１方向Ｘに間隔を置いて配置されている。図示した例では、画素電極１６は、走査線１０と信号線１２とで囲まれた領域に配置されている。また、図示した例では、走査線１０は、１つの画素毎に分断される分断部Ｂを有している。走査線１０は、分断部Ｂにおいて、図３の右側部分と左側部分とに分断され、コンタクトホールを介して、信号線１２と同じ層に形成された接続配線ＣＬによって接続されている。このような構成とすることで、製造工程中の帯電を抑制することができ、帯電によって起きる回路破壊を抑えることができる。なお、走査線１０は、必ずしも分断されている必要はなく、第１方向Ｘに一直線状に繋がっていてもよい。また、１つの画素毎に分断されていなくてもよいし、副画素ＳＰ毎に分断されていてもよい。
【００２０】
図４に示すように、液晶表示装置は、第１絶縁基板２２を有する。第１絶縁基板２２上に回路層２４が積層している。回路層２４は、スイッチング素子１４を含む。スイッチング素子１４は、半導体層２６及びゲート電極２８並びにこれらの間にゲート絶縁膜として介在する部分を含む第１絶縁膜３０を有する。ゲート電極２８を覆うように、第１絶縁膜３０上に第２絶縁膜３２が積層する。第２絶縁膜３２を貫通するコンタクトホール３２ａを介して半導体層２６に接続するように、ドレイン電極３４が設けられている。ドレイン電極３４を覆うように、第２絶縁膜３２上に第３絶縁膜３６が積層する。
【００２１】
スイッチング素子１４の下には、光による誤作動を防止するため、例えば金属からなる遮光膜３８が第１絶縁基板２２上に設けられている。遮光膜３８を覆うように下地絶縁膜４０が第１絶縁基板２２上に積層され、下地絶縁膜４０の上に半導体層２６が設けられている。
【００２２】
図５に示すように、回路層２４は、ドレイン電極３４と同層に形成された信号線１２と、ゲート電極２８と同層に形成された走査線１０(図示せず)をさらに有する。信号線１２は、第１方向Ｘに間隔を置いて複数配置されており、表示領域ＤＡにおいては、複数の画素電極１６の間に配置されている。スイッチング素子１４のソース電極３３は、信号線１２と一体的に形成されている。また、図４に示しているスイッチング素子１４のゲート電極２８は、走査線１０から分岐した部分であり、走査線１０と一体的に形成されている。
【００２３】
図４及び図５に示すように、回路層２４の上には、第３絶縁膜３６上に積層するように、共通電極１８が配置されている。共通電極１８は、複数の副画素ＳＰに亘って形成されている。共通電極１８を覆うように、第３絶縁膜３６上に第４絶縁膜４２が積層している。第４絶縁膜４２の上には、複数の画素電極１６が積層している。画素電極１６は、第４絶縁膜４２を貫通して、ドレイン電極３４に接続するコンタクト部４４を有する。複数の画素電極１６を覆うように、第１配向膜４６が積層する。図示した例では、画素電極１６は、共通電極１８より上に形成され、複数のスリットを有するように形成されている。なお、画素電極１６は、共通電極１８より下に形成されていてもよい。その場合、画素電極１６は、副画素ＳＰ毎に平面状に形成され、共通電極１８は、複数の副画素ＳＰに亘って形成され、画素電極１６と対向する位置において、複数のスリットを有するように形成される。なお、第１絶縁基板２２と第１絶縁基板２２上に形成された構造とを全て含めて、第１基板ＳＵＢ１とする。
【００２４】
図４及び図５に示すように、液晶表示装置１は、さらに第２絶縁基板４８を有する。第２絶縁基板４８には、ブラックマトリクス５０及びカラーフィルタ層５１が設けられ、これらは図４の下側においてオーバーコート層５２で覆われている。オーバーコート層５２を覆うように、第２配向膜５４が積層する。なお、図示した例では、ブラックマトリクス５０は、第２絶縁基板４８とカラーフィルタ層５１との間に配置されているが、カラーフィルタ層５１とオーバーコート層５２との間に配置されていてもよいし、オーバーコート層５２と第２配向膜５４との間に配置されていてもよい。なお、第２絶縁基板４８と第２絶縁基板４８上に形成された構造とを全て含めて、第２基板ＳＵＢ２とする。
【００２５】
図４及び図５に示すように、第１配向膜４６と第２配向膜５４の間に液晶層２０が介在する。第１基板ＳＵＢ１と第２基板ＳＵＢ２との間のセルギャップは、複数のスペーサ５６によって保持されている。複数のスペーサ５６は、第１基板ＳＵＢ１と第２基板ＳＵＢ２との間に位置し、さらに言うと、第１配向膜４６とオーバーコート層５２との間に位置している。図示した例では、オーバーコート層５２上にスペーサ５６が設けられ、オーバーコート層５２及びスペーサ５６を覆うように第２配向膜５４が成膜されている。なお、第１配向膜４６とスペーサ５６は、接触してもよいし、両者間に第２配向膜５４が介在していてもよい。図示した例では、液晶表示装置の一方の基板側に、共通電極１８及び画素電極１６が位置する横電界駆動方式が採用されている。
【００２６】
複数のスペーサ５６は、それぞれ２つの底部を備えており、第１基板ＳＵＢ１と第２基板ＳＵＢ２のいずれかに固定されている下底部と、下底部と反対側の上底部とを有している。図示した例では、オーバーコート層５２と接触している方が下底部、第１配向膜４６と接触している方が上底部に相当する。図３に示しているスペーサ５６は、スペーサ５６の上底部の位置を示している。また、図示した例では、１つの画素毎にスペーサ５６を設けているが、１つの副画素ＳＰ毎に設けてもよい。
【００２７】
図６に示すように、画素電極１６は、第１方向Ｘに延びる基端部５８と、基端部５８から第２方向Ｙに延びる櫛歯部６２とを含む。さらに、図６に示すように、基端部５８は、画素電極１６とドレイン電極３４とが接続するコンタクト部４４を含む第１領域６０と、第１領域６０と第１方向Ｘに隣接する第２領域６８とを備えている。なお、本実施形態において、櫛歯部６２が延びる方向は、第１方向Ｘに直交していてもよいが、図６に示すように直交していなくてもよい。
櫛歯部６２は、直線状に延びていてもよいし、図６に示すように屈曲していてもよい。櫛歯部６２は、基端部５８と、基端部５８とは反対側で第１方向Ｘに延びる連結部６４（図３参照）とで連結されている。言い換えると、画素電極１６は、複数のスリット６６を有する形状になっている。スリット６６は、図６の例では、屈曲した部分を有しているが、直線状のスリットでもよい。なお、連結部６４は形成されていなくてもよい。その場合、スリット６６の一端側は開放される。また、基端部５８は、櫛歯部６２を連結する連結部としても用いられている。つまり、基端部５８も連結部に相当する。
【００２８】
図６に示すように、第２領域６８の第２方向Ｙの幅Ｗ２は、第１領域６０の第２方向Ｙの幅Ｗ１よりも広くなっている。つまり、第２領域６８は、第１領域６０よりも櫛歯部６２側に突出した部分を有している。言い換えると、第２領域６８に対応する位置から第２方向Ｙに延びている櫛歯部６２は、第１領域６０に対応する位置から第２方向Ｙに延びている櫛歯部６２よりも短くなっている。また、言い換えると、第２領域６８と対応する位置に形成されたスリット６６は、第１領域６０に対応する位置に形成されたスリット６６よりも短くなっている。スペーサ５６は、第２領域６８と重なる位置に配置され、基端部（連結部）５８からはみ出さないように配置されている。なお、図示した例では、スペーサ５６が配置される箇所のみ、第２領域６８の幅Ｗ２を広く形成しているが、全ての画素電極において、第２領域６８の幅Ｗ２を広く形成してもよい。
【００２９】
図６に示すように、基端部（連結部）５８の第２領域６８は、第２方向Ｙにのみ幅が大きくなっている。そのため、第１方向Ｘにおける、各画素電極１６の基端部（連結部）５８間の距離Ｄ１は略等距離に配置されている。
【００３０】
本実施形態によれば、基端部（連結部）５８の第１領域６０の幅Ｗ１よりも広い幅Ｗ２を有する第２領域６８にスペーサ５６の上底部が重なるように配置されている。言い換えると、基端部（連結部）５８の第２領域６８によって形成された平坦な部分にスペーサ５６が位置している。そのため、スペーサ５６と第１配向膜４６及び第２配向膜５４の少なくとも一方とが接触しても、第３方向Ｚに凹凸が少なく、それらが削られることによる表示不良を抑えることができる。
【００３１】
図７は、第１の実施形態の変形例を示す図である。図８は、図７に示す構造の一部の画素電極の基端部付近の詳細図である。この変形例では、第２領域１６８の一部が信号線１１２と重なるように第１方向Ｘにおいても、突出した部分を有している。言い換えると、第２領域１６８側において第１方向Ｘに隣り合う画素電極の基端部（連結部）１５８間の距離Ｄ２は、第１領域１６０側において第１方向Ｘに隣り合う画素電極の基端部（連結部）１５８間の距離Ｄ１よりも狭くなっている。
【００３２】
さらに、図８に示すように、この変形例では、第２領域１６８は、櫛歯部１６２側（図７の上方向）だけでなく、櫛歯部１６２とは反対側（図７の下方向）においても、第１領域１６０よりも突出した部分を有している。言い換えると、第２領域１６８における基端部１５８と走査線１１０との間の間隔Ｄ４は、第１領域１６０における基端部１５８と走査線１１０との間の間隔Ｄ３よりも狭くなっている。つまり、第２領域１６８の幅Ｗ３は、第１の実施形態の幅Ｗ２よりも広く形成されている。
【００３３】
本変形例によれば、基端部１５８の第２領域１６８が、櫛歯部１６２側だけでなく、櫛歯部１６２とは反対側においても、第１領域１６０よりも突出した部分を有している。さらには、信号線１１２と重なるように第１方向Ｘにおいても、突出した部分を有している。そのため、第１の実施形態よりも、第２領域１６８によって形成された平坦部分の面積が増え、スペーサ１５６を容易に凹凸の少ない部分に配置することができる。また、大きな振動を受けたとしても、第２領域１６８からずれて凹凸のある部分に接触する可能性を低くすることができ、表示不良を抑えることができる。なお、第１の実施形態及び変形例では、いずれも突出した部分は角を有するような形状となっているが、これに限定されるものではなく、例えば、円弧状に形成されていてもよい。
【００３４】
図９は、本発明の第２の実施形態に係る１つの画素の詳細図である。図１０は、図９に示す構造の一部の画素電極の基端部付近の詳細図である。図１１は、図９に示す構造のXI‐XI線断面図である。ここでは、第１の実施形態との差異に着目し、第１の実施形態と同一又は類似の構成物については説明を省略する。
図９及び図１０に示すように、本実施形態では、第２方向Ｙにおいて、第２領域２６８は、第１領域２６０の幅Ｗ１１よりも狭い幅Ｗ２２を有する部分を備えている。つまり、基端部２５８の第２領域２６８には、切り欠きが形成されている。言い換えると、第２領域２６８における基端部２５８と走査線１０との間の間隔Ｄ６は、第１領域２６０における基端部２５８と走査線１０との間の間隔Ｄ５よりも広くなっている。スペーサ２５６の上底部は、第２領域２６８の切り欠きと重畳するように配置され、櫛歯部２６２を有する画素電極２１６とは重畳しないように配置されている。
【００３５】
図１１に示すように、本実施形態によれば、画素電極２１６が形成されていない部分にスペーサ２５６が配置されている。図９及び図１０に示すように平面状でみると、スペーサ２５６の上底部は、ゲート電極２８と重なっている。しかし、図１１に示すように、ゲート電極２８と重なる部分は、第２絶縁膜３２や第３絶縁膜３６によって十分に平坦化されている。そのため、第１の実施形態と同様に、第３方向Ｚに凹凸の少ない部分にスペーサ２５６を配置することができる。
【００３６】
以上のことから、本実施形態によれば、第２領域２６８の切り欠き部分にスペーサ２５６が配置されるので、第１の実施形態と同様に、スペーサ２５６と第１配向膜２４６とが接触しても凹凸が少なく、それらが削られることによる表示不良を抑えることができる。
【００３７】
図１２は、本発明に係る液晶表示装置を適用する電子機器の一例を示す図である。上述した液晶表示装置は、図１２に示すようなカーナビゲーションシステム、テレビジョン装置、デジタルカメラ、ノート型パーソナルコンピュータなどのあらゆる分野の電子機器に適用することが可能である。言い換えると、液晶表示装置は、外部から入力された映像信号あるいは内部で生成した映像信号を、画像あるいは映像として表示するあらゆる分野の電子機器に適用することが可能である。
【００３８】
図１２に示す電子機器は、本発明に係る液晶表示装置が適用されるカーナビゲーション装置である。液晶表示装置１は、自動車の車内のダッシュボード３００に設置される。具体的には、ダッシュボード３００の運転席３１１と助手席３１２との間に設置される。カーナビゲーション装置の液晶表示装置１は、ナビゲーション表示、音楽操作画面の表示、または、映画再生表示等に利用される。
【００３９】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００４０】
１  液晶表示装置、１０  走査線、１２  信号線、１４  スイッチング素子、１６  画素電極、１８  共通電極、２０  液晶層、２２  第１絶縁基板、２４  回路層、２６  半導体層、２８  ゲート電極、３０  第１絶縁膜、３２  第２絶縁膜、３２ａ  コンタクトホール、３３  ソース電極、３４  ドレイン電極、３６  第３絶縁膜、３８  遮光膜、４０  下地絶縁膜、４２  第４絶縁膜、４４  コンタクト部、４６  第１配向膜、４８  第２絶縁基板、５０  ブラックマトリクス、５１  カラーフィルタ層、５２  オーバーコート層、５４  第２配向膜、５６  スペーサ、５８  基端部、６０  第１領域、６２  櫛歯部、６４  連結部、６６  スリット、６８  第２領域、１１０  走査線、１１２  信号線、１５６  スペーサ、１５８  基端部、１６０  第１領域、１６２  櫛歯部、１６８  第２領域、２１６  画素電極、２４６  第１配向膜、２５６  スペーサ、２５８  基端部、２６０  第１領域、２６８  第２領域、Ｂ  分断部、ＣＤ  共通電極駆動回路、ＣＬ  接続配線、ＣＳ  保持容量、Ｄ１  間隔、Ｄ２  間隔、ＤＡ  表示領域、ＧＤ  走査線駆動回路、ＰＡ  周辺領域、ＳＤ  信号線駆動回路、ＳＰ  副画素、ＳＵＢ１  第１基板、ＳＵＢ２  第２基板、Ｗ１  幅、Ｗ１１  幅、Ｗ２  幅、Ｗ２２  幅、Ｗ３  幅、Ｘ  第１方向、Ｙ  第２方向、Ｚ  第３方向。
【図１】
2019015844.tif 000003
【図２】
2019015844.tif 000004
【図３】
2019015844.tif 000005
【図４】
2019015844.tif 000006
【図５】
2019015844.tif 000007
【図６】
2019015844.tif 000008
【図７】
2019015844.tif 000009
【図８】
2019015844.tif 000010
【図９】
2019015844.tif 000011
【図１０】
2019015844.tif 000012
【図１１】
2019015844.tif 000013
【図１２】
2019015844.tif 000014